(57)【要約】【課題】縦框と横框の連結部分における強度を高めた複合サッシの障子を提供する。【解決手段】上下の横框４０、５０と左右の縦框６０、６０を方形状に連結して内部にガラス体３を納めてなり、横框４０、５０と縦框６０、６０は室外側の金属材と室内側の樹脂材からなる複合材により構成された障子において、縦框６０には金属材の内周面の長手方向略全長に渡ってガラス体３を挟持する溝状のガラス開口部６５が形成され、横框５０は金属材の室内側面に板状に形成された樹脂材を重合状に取付けて構成され、見込方向幅を縦框６０のガラス開口部６５の幅と略同じ大きさとすると共に、両端部がガラス開口部６５に挿入され連結されてなる。【選択図】図４
2006183368.tif 000002
【特許請求の範囲】
【請求項１】
上下の横框と左右の縦框を方形状に連結して内部にガラス体を納めてなり、上記横框と縦框は室外側の金属材と室内側の樹脂材からなる複合材により構成された複合サッシの障子において、
上記縦框には上記金属材の内周面の長手方向略全長に渡って上記ガラス体を挟持する溝状のガラス開口部が形成され、
上記横框は上記金属材の室内側面に板状に形成された樹脂材を重合状に取付けて構成され、見込方向幅を上記縦框のガラス開口部の幅と略同じ大きさとすると共に、両端部が上記ガラス開口部に挿入され連結されてなることを特徴とする複合サッシの障子。
【請求項２】
上記横框の金属材は室内側面と室外側面により外方に向かって開口した断面略コ字状の案内部を形成し、上記横框の樹脂材は上記案内部を構成する金属材の室内側面を被覆することを特徴とする請求項１記載の複合サッシの障子。
【請求項３】
上記縦框の樹脂材は板状に形成され、上記縦框の金属材におけるガラス開口部を形成する室内側面を被覆すると共に、上記横框の樹脂材と連続状としてなることを特徴とする請求項１または２記載の複合サッシの障子。
【発明の詳細な説明】
【技術分野】
【０００１】
本発明は建物躯体の開口部に取付けられる枠体内に納められる複合サッシの障子に関し、特に室外側が金属材からなり室内側が樹脂材からなる複合材により構成される複合サッシの障子に関する。
【背景技術】
【０００２】
従来から、室外側が金属材からなり、室内側が樹脂材からなる複合材により構成される複合サッシの障子が知られている。このような障子は、一般的に複合材から構成される枠体内に納められるもので、このような複合サッシとしては例えば特許文献１に挙げるようなものがある。
【特許文献１】特許第３５０７０３１号公報
【発明の開示】
【発明が解決しようとする課題】
【０００３】
これらの障子は、上下の横框と左右の縦框を方形状に連結し、内部にガラス体を納めて構成される。各框にはガラス体の周縁部を室内外から挟持固定するために内周面に溝状のガラス開口部が形成されている。そして、横框の見込方向幅を縦框のガラス開口部幅と略同じ大きさとし、横框の両端部を縦框のガラス開口部に挿入して、横框と縦框を連結している。すなわち、横框の両端部は縦框のガラス開口部に飲み込まれた状態で挟持固定されている。
【０００４】
しかし、複合サッシにおいては、障子の複合材を構成する樹脂材は、断熱性を高めるために断面中空状に形成されている。このため、縦框のガラス開口部が横框を挟持した連結部分において、室内側については中空部を有した樹脂材と連係することになるので、強度が小さく、特に横框のねじれに対する剛性が低い。
【０００５】
本発明は、上記課題を解決すべくなされたものであり、縦框と横框の連結部分における強度を高めた複合サッシの障子を提供することを目的とする。
【課題を解決するための手段】
【０００６】
上記課題を解決するため、本発明に係る複合サッシの障子は、上下の横框と左右の縦框を方形状に連結して内部にガラス体を納めてなり、上記横框と縦框は室外側の金属材と室内側の樹脂材からなる複合材により構成された複合サッシの障子において、
上記縦框には上記金属材の内周面の長手方向略全長に渡って上記ガラス体を挟持する溝状のガラス開口部が形成され、
上記横框は上記金属材の室内側面に板状に形成された樹脂材を重合状に取付けて構成され、見込方向幅を上記縦框のガラス開口部の幅と略同じ大きさとすると共に、両端部が上記ガラス開口部に挿入され連結されてなることを特徴として構成されている。
【０００７】
また、本発明に係る複合サッシの障子は、上記横框の金属材は室内側面と室外側面により外方に向かって開口した断面略コ字状の案内部を形成し、上記横框の樹脂材は上記案内部を構成する金属材の室内側面を被覆することを特徴として構成されている。
【０００８】
さらに、本発明に係る複合サッシの障子は、上記縦框の樹脂材は板状に形成され、上記縦框の金属材におけるガラス開口部を形成する室内側面を被覆すると共に、上記横框の樹脂材と連続状としてなることを特徴として構成されている。
【発明の効果】
【０００９】
本発明に係る複合サッシの障子によれば、横框は金属材の室内側面に板状に形成された樹脂材を重合状に取付けて構成され、その見込方向幅を縦框のガラス開口部の幅と略同じ大きさとし、両端部が縦框のガラス開口部に挿入され連結されてなることにより、横框の縦框に対する挿入部分において金属材と板状の樹脂材が重合状態となっているので、中空部を有した横框に比べて強度が高い。特に、横框に対するねじれ剛性を高くすることができる。
【００１０】
また、本発明に係る複合サッシの障子によれば、横框の金属材は室内側面と室外側面により上方に開口した断面略コ字状の案内部を形成し、横框の樹脂材は案内部の室内側面を被覆することにより、横框の上端部までを金属材と樹脂材の重合状態とすることができるので、横框と縦框の連結部分における強度をさらに増すことができる。
【００１１】
さらに、本発明に係る複合サッシの障子によれば、縦框の樹脂材は板状に形成され、縦框の金属材におけるガラス開口部を形成する室内側面を被覆すると共に、横框の樹脂材と連続状としてなることにより、縦框と横框の樹脂材が連続的で意匠性の高い障子とすることができる。
【発明を実施するための最良の形態】
【００１２】
本発明の実施形態について図面に沿って詳細に説明する。図１は本実施形態における障子を引き違い状としたサッシの縦断面図、図２は図１の横断面図である。本実施形態における障子は、建物開口部に設けられる枠体１内に引き違い状に納められてサッシを構成する。そのため、障子としては外障子４と内障子５を設けている。図１及び図２はこのサッシ全体を示したものである。
【００１３】
まず、サッシの枠体１について説明する。枠体１は、金属材からなる金属下枠１１と金属上枠２１及び左右の金属縦枠３１、３１を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１４】
金属下枠１１の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、金属上枠２１の下面には、その長手方向略全長に渡って外レール２１ａと内レール２１ｂ及び網戸レール２１ｃが形成されている。これらは金属下枠１１の各レールと対応した位置に形成されており、それぞれ外障子４と内障子５及び網戸６をサッシの長手方向に案内する。
【００１５】
金属縦枠３１の内周面には、外障子４を閉じた状態でその側面と対向する位置に外突出部３１ａが長手方向略全長に渡って設けられる。また、内障子５を閉じた状態でその側面と対向する位置に内突出部３１ｂが長手方向略全長に渡って設けられる。これらは、外障子４及び内障子５を閉じた際にサッシの気密性及び水密性を確保するために設けられている。
【００１６】
枠体１の室内側端部には、四周に渡って室内樹脂枠が設けられている。金属下枠１１の室内側端部には、室内樹脂下枠１３が設けられる。この室内樹脂下枠１３は、内レール１１ｂと金属下枠１１の室内面との間に形成される凹部内に納められ、さらに金属下枠１１の室内面よりも室内側に向かって延出する室内延出部１３ａを有してなるものである。
【００１７】
金属上枠２１の室内側端部に設けられる室内樹脂上枠２３も、同様に内レール２１ｂと金属上枠２１の室内面との間に形成される凹部内に納められ、さらに金属上枠２１の室内面よりも室内側に向かって延出する室内延出部２３ａを有してなる。
【００１８】
また、金属縦枠３１の室内側端部に設けられる室内樹脂縦枠３３は、内障子５が閉じた状態でそれと対向する側の金属縦枠３１に対しては、内突出部３１ｂよりも室内側に設けられ、さらに室内側に向かって延出する室内延出部３３ａを有してなる。外障子４が配置される側の金属縦枠３１に取付けられる室内樹脂縦枠３３は、金属材ができるだけ室内側に露出しないように、内障子５が配置される側の金属縦枠３１に取付けられる室内樹脂縦枠３３よりも室外側に延長した延長部３３ｂを有して構成される。延長部３３ｂは、外障子４を閉じた状態におけるその室内面の近傍位置まで延長されている。
【００１９】
次に、外障子４と内障子５について説明する。これらの障子は、横框である下框４０及び上框５０と、左右の縦框６０、６０とを方形状に框組みしてなる框体２の内部に、ガラス体３を納めてなるものである。そして、框体２は、室外側に金属材を配し、室内側に樹脂材を配した複合材からなるものである。
【００２０】
下框４０は、室外側の金属下框４１と、その室内面に取付けられる板状の樹脂下框４２とから構成されている。樹脂下框４２は、金属下框４１に係合し固定される。下框４０の上部は、長手方向略全長に渡って、グレチャン７を挟持しガラス体３を納めることができるように、凹形状とされた溝状のガラス開口部４５を形成している。
【００２１】
ガラス開口部４５の室外側は金属下框４１、室内側は樹脂下框４２により構成されている。すなわち、ガラス体３の室外面は金属下框４１により支持され、室内面は樹脂下框４２により支持されている。また、下框４０の下端部には、戸車４３が設けられて、外障子４は外レール１１ａに、内障子５は内レール１１ｂに、それぞれ載置される。
【００２２】
上框５０は、室外側の金属上框５１と、その室内面に取付けられる板状の樹脂上框５２とから構成されている。樹脂上框５２は、金属上框５１に係合し固定される。上框５０の下部は、長手方向略全長に渡って、グレチャン７を挟持しガラス体３を納めることができるように、凹形状とされた溝状のガラス開口部５５を形成している。そして、下框４０と同様、それに納められるガラス体３は、室外面を金属上框５１により、室内面を樹脂上框５２により、それぞれ支持される。
【００２３】
縦框６０は、枠側縦框６０ａと召合せ框６０ｂとで形状が異なる。枠側縦框６０ａは、左右いずれも室外側の金属縦框６１と、その室内面に取付けられる板状の樹脂縦框６２とから構成されている。召合せ框６０ｂは、外障子４側は金属材からなる召合せ金属框６３のみから構成され、内障子５側は召合せ金属框６３と、その室内露出面に取付けられる板状の召合せ樹脂框６４とから構成される。召合せ金属框６３、６３は、互いに対向する面にそれぞれ煙返し部６３ａ、６３ａを有し、それらが互い違いとなってサッシの気密性を確保している。
【００２４】
また、内障子５の召合せ金属框６３における室内露出面は、その室内面及び側面の二面あるため、召合せ樹脂框６４はそれらの面を覆うように断面略Ｌ字状とされている。また、召合せ樹脂框６４は召合せ金属框６３の室内面及びその背面となる室外面にそれぞれ係合し固定される。そのため、召合せ樹脂框６４の室外端部には略鉛直方向に突出する係合部６４ａが形成されている。
【００２５】
金属縦框６１の内周面には、グレチャン７を挟持しガラス体３を納めることができるように、凹形状で溝状のガラス開口部６５が形成されている。樹脂縦框６２の内周側の先端部６２ａは、断面略コ字状に形成され、それが金属縦框６１の先端に係合してグレチャン７に圧接する。したがって、縦框６０においても、ガラス体３の室外面は金属縦框６１により、室内面は樹脂縦框６２により、それぞれ支持される。これによって、樹脂縦框６２とグレチャン７とが連続状となって、金属縦框６１を室内側に露出させない美観のよいサッシとすることができる。
【００２６】
次に、縦框６０と横框である上框５０との連結について説明する。図３は縦框６０と上框５０の連結前の状態を示した斜視図である。また、図４は縦框６０と上框５０が連結した状態を示した斜視図である。図３に示すように、横框である上框５０の見込方向幅は、縦框６０の内周面に形成されたガラス開口部６５の幅と略同じであり、上框５０の端部を縦框６０のガラス開口部６５に挿入できるようにされている。
【００２７】
上框５０の断面形状をより詳しく説明すると、室外面を構成する外金属面部５６と室内面を構成する内金属面部５７とを有し、外金属面部５６の内周面側が上述したガラス開口部５５の室外側を構成している。内金属面部５７はさらに内樹脂面部５８に被覆されており、内樹脂面部５８の内周面側が上述したガラス開口部５５の室内側を構成している。内樹脂面部５８は平板状であり、内金属面部５７と内樹脂面部５８は中空部を形成することなく重なり合っている。
【００２８】
縦框６０も、室外面を構成する外金属面部６６と室内面を構成する内金属面部６７とを有して形成されている。内金属面部６７はさらに内樹脂面部６８に被覆されている。内樹脂面部６８は平板状であり、内金属面部６７と内樹脂面部６８は中空部を形成することなく重なり合っている。外金属面部６６の内周面側は、ガラス開口部６５の室外側を構成し、重合状態の内金属面部６７と内樹脂面部６８の内周面側は、ガラス開口部６５の室内側を構成している。また、内樹脂面部６８の内周側端部は、樹脂縦框６２の先端部６２ａであり、上框５０が挿入される部分については、先端部６２ａは切り欠かれている。
【００２９】
図４は、上框５０を縦框６０のガラス開口部６５に挿入して連結した状態を示している。上框５０の上部には外金属面部５６と内金属面部５７及び内樹脂面部５８により上方に向かって開口した断面略コ字状の案内部を形成してある。外金属面部５６は、上框５０端部において縦框６０のガラス開口部６５に挟持される。一方、内金属面部５７と内樹脂面部５８は、重合状態で縦框６０のガラス開口部６５に挟持される。
【００３０】
縦框６０のガラス開口部６５の室内側先端に圧接するのは樹脂上框５２であるものの、樹脂上框５２は板状でかつ金属上框５１に重合状態とされており中空部を介することなく挟持されているため、連結部分における十分な強度を確保することができる。特に、上框５０の縦框６０に対するねじり剛性を高くすることができる。
【００３１】
また、縦框６０の樹脂縦框６２も樹脂上框５２と同様に板状であって、これが金属縦框６１におけるガラス開口部６５を形成する内金属面部６７を被覆しており、上框５０の樹脂上框５２と連続状とされている。すなわち、横框である上框５０と縦框６０とで室内面における連続性を確保し、意匠性の高いサッシとしている。
【００３２】
また、縦框６０と下框４０の連結についても同様である。すなわち、下框４０の見込方向幅は縦框６０のガラス開口部６５の幅と略同じであって、両端部がそれぞれこのガラス開口部６５に挿入される。また、樹脂下框４２は板状に形成され金属下框４１に対し重合状とされていることから、下框４０は縦框６０のガラス開口部６５に中空部を介することなく挟持される。したがって、下框４０の縦框６０に対するねじり剛性を高くすることができる。
【００３３】
以上のように、上框５０の両端部及び下框４０の両端部をそれぞれ縦框６０のガラス開口部６５に挿入し、横框を構成する金属材と板状の樹脂材が重合状態、すなわち中空部を介することなく挟持されることにより、框体２の連結部分の強度を大きくすることができ、障子の強度を増すことができる。
【００３４】
これまで、本発明の実施形態について説明したが、本発明の適用は本実施形態には限られず、その技術的思想の範囲内において様々に適用されうるものである。
【図面の簡単な説明】
【００３５】
【図１】本実施形態における障子を引き違い状としたサッシの縦断面図である。
【図２】図１の横断面図である。
【図３】縦框と横框の連結前の状態を示した斜視図である。
【図４】縦框と横框が連結した状態を示した斜視図である。
【符号の説明】
【００３６】
１    枠体
２    框体
３    ガラス体
４    外障子
５    内障子
１０    下枠
２０    上枠
３０    縦枠
４０    下框
５０    上框
５１    金属上框
５２    樹脂上框
５５    ガラス開口部
５６    外金属面部
５７    内金属面部
５８    内樹脂面部
６０    縦框
６１    金属縦框
６２    樹脂縦框
６５    ガラス開口部
【図１】
2006183368.tif 000003
【図２】
2006183368.tif 000004
【図３】
2006183368.tif 000005
【図４】
2006183368.tif 000006